(57)【要約】【課題】既存のケーブルが存在しても敷設が可能で、さらに敷設後においても、ケーブルの追加挿入作業が簡単になり、しかもケーブルの損傷を低減させることを実現した管路の内部スペーサーを提供する。【解決手段】可撓性を有する棒状の中心軸３ａと、中心軸３ａの側面部から放射状に延在する仕切片３ｂ、３ｃ、３ｄと、を備えた管路の内部スペーサー３を、複数の通信ケーブル４が収納可能な管路２の内部に挿入することによって、仕切片３ｂ、３ｃ、３ｄによって管路２の内部の空間を、通信ケーブル４を個々に収納可能な複数の収納部２ａ、２ｂ、２ｃに分割するものであって、管路の内部スペーサー３は、中心軸３ａの軸方向の任意の位置における、直角方向の断面形状が略一定であり、収納部２ａ、２ｂ、２ｃは、中心軸３ａの先端部から後端部に渡って形成され、かつ可撓性を有する１枚の板状部材からなる。【選択図】図１
2007049813.tif 000002
【特許請求の範囲】
【請求項１】
複数のケーブルを収納可能な管路の内部に挿入され、可撓性を有する棒状部材と、前記棒状部材の側面から前記管路の内面に向けて放射状に延在しかつ前記棒状部材の伸びる方向に伸びる複数の仕切部と、を備え、
前記仕切部は前記管路の内部を複数の収納部に分割し、
各収納部は前記ケーブルの少なくとも１つを収納することが可能である管路の内部スペーサーであって、
前記棒状部材の半径方向における前記仕切部の高さは、前記棒状部材の伸びる方向において略一定であり、
各仕切部は、前記棒状部材の先端部から後端部に渡って形成されかつ可撓性を有する板状部を有することを特徴とする管路の内部スペーサー。
【請求項２】
前記仕切部の表面は、前記収納部に収容された各ケーブルに接触しない非接触部を有することを特徴とする請求項１記載の管路の内部スペーサー。
【請求項３】
前記棒状部材と前記仕切部とは同一部材であることを特徴とする請求項１又は２記載の管路の内部スペーサー。
【請求項４】
前記仕切部の表面には、前記棒状部材の軸方向に対して直角方向に伸びる複数の凸部が前記軸方向に配列されてなる波面であり、前記非接触部は隣接する２つの凸部の間の凹部であることを特徴とする請求項１から３のいずれかに記載の管路の内部スペーサー。
【請求項５】
前記凸部の端部には、各ケーブルに接触する曲面が形成されていることを特徴とする請求項４記載の管路の内部スペーサー。
【請求項６】
前記仕切部の表面には、複数の凸部と前記凸部以外の領域によって前記非接触部とが形成されることを特徴とする請求項１から３のいずれかに記載の管路の内部スペーサー。
【請求項７】
各仕切部は、各収納部を識別可能にする着色部を有することを特徴とする請求項１から６のいずれかに記載の管路の内部スペーサー。
【請求項８】
請求項１から７のいずれかに記載の管路の内部スペーサーの各仕切部の端部に取り付けられる仕切取付部と、
それぞれが各仕切取付部から伸びる板状の複数の先端部と、
各先端部が放射状に伸びるように接続され、前記棒状部材の伸びる方向に伸びる接続部と、を備え、
前記接続部と各先端部の側面との間の距離は、前記接続部の伸びる方向に対して直角の方向において、各仕切取付部から離れるにつれて、短くなっている、管路の内部スペーサーの先導具。
【請求項９】
請求項１から７のいずれかに記載の管路の内部スペーサーの各仕切部の端部に取り付けられる仕切取付部であって前記凸部に係合する凹部を有する仕切取付部と、
それぞれが各仕切取付部から伸びる板状の複数の先端部と、
各先端部が放射状に伸びるように接続され、前記棒状部材の伸びる方向に伸びる接続部と、を備え、
前記接続部と各先端部の側面との間の距離は、前記接続部の伸びる方向に直角の方向において、各仕切取付部から離れるにつれて、短い、管路の内部スペーサーの先導具。
【発明の詳細な説明】
【技術分野】
【０００１】
本発明は、複数の通信ケーブルが敷設される管路に適用され、管路の内部を複数に分割する管路の内部スペーサーに関する。
【背景技術】
【０００２】
管路の内部に多数のケーブルを敷設する場合、通常、管路の内径はケーブルの外径に比較して相当大きくしてある。例えば、管路の内径の断面積とケーブル断面積との比率によれば、管路の内部に５つのケーブルを配線させることができる。
【０００３】
管路の殆どが地中に埋設される。このとき、管路の一部は、屈曲部を形成する。そのような管路に、追加のケーブルを敷設する場合、管路の端部からケーブルを差し込むことにより行われる。このとき、管路の屈曲部において、追加のケーブルは、既存のケーブルに接触し、既存のケーブルと追加のケーブルとの接触部分において摩擦が発生することにより、追加ケーブルを挿入する作業性が悪化し、さらには、ケーブルの外皮を損傷させるおそれがあった。
【０００４】
そこで、従来、管路の内部に分割具を等間隔に設置して分割空間を形成し、この空間にケーブルを敷設することによって、他のケーブルの影響を受けることなく通線可能にするという技術が提案されている（特許文献１参照）。
【０００５】
また、管路の内部に、正面視Ｘ型又はＹ型のセパレータを挿入して、管路の内部の空間を正面視３分割又は４分割し、各分割空間にケーブルを配置するという技術が提案されている（特許文献２参照）。
【特許文献１】特開平５−２５２６２８号公報
【特許文献２】特開２０００−２８７３２４号公報
【発明の開示】
【発明が解決しようとする課題】
【０００６】
しかしながら、上述した前者の技術においては、管路の内部に分割具を挿入しやすくするために、分割具を棒状又は線状部材によって連結しておく必要がある。しかも、分割具を等間隔に配置する必要があるため、複数の分割具を互いに連結させる作業に時間がかかる。また、管路の内部にケーブルのみが敷設されており、分割具が挿入されていない場合において、ケーブルがすでに配置されている管路の内部に分割具をさらに挿入することは大変困難である。
【０００７】
また、分割具を管路に配置させるためには、予め通線用ワイヤを管路の内部に通しておく必要があるため、通線用ワイヤの不足や無駄が発生するおそれがあるとともに、通線用ワイヤが例えば腐食により使用不可能となった場合には、分割空間にケーブルを通すことができなくなるおそれがある。
【０００８】
また、複数の分割具が所定の間隔をおいて配置されているので、ケーブルを通す空間は不連続である。このため、例えば、通線用ワイヤを通す作業において、不連続部分に通線用ワイヤの先端が衝突することにより、挿入作業が円滑に行われないおそれがある。そのため、上述したように、通線用ワイヤが例えば腐食により使用不可能となった場合には、分割空間にケーブルを通すことができなくなるおそれがある。
【０００９】
さらに、上述した後者の技術においては、管路の内部の空間を分割する分離突起が、所定の間隔を開けて複数配置されているので、管路の内部を分割した空間は、セパレータがある部分は分離され、そうでない部分は連続している、いわゆる不連続であるため、上述したように、例えば、通線用ワイヤを通す作業が円滑に行われないおそれがある。また、セパレータを管路の内部に挿入する際に、管路の開口縁部にセパレータが当たってしまい、セパレータの挿入作業が円滑に行われないおそれがある。
【００１０】
また、特許文献２には、１枚の分離突起に切込を形成したものについて記載されている。この場合においては、分割空間の連続性が比較的保たれるが、管路の屈曲部において不連続部分が発生し、上述したように、通線用ワイヤを通す作業が円滑に行われないおそれがある。また、セパレータを管内に敷設する際に、切り込み部分において手が挟まれるおそれがあり、さらには、異物を挟んでしまって異物をセパレータとともに管内に入れてしまい、後に、この異物がケーブルを追加する際の障害になるおそれがある。
【００１１】
本発明は、このような問題点を解決し、既存のケーブルが存在しても敷設が可能にし、さらに敷設後においても、ケーブルの追加挿入作業を簡単にさせ、しかもケーブルの損傷を低減させることを実現した管路の内部スペーサー及び管路の内部スペーサーの先導具を提供することを目的とする。
【課題を解決するための手段】
【００１２】
前記目的を達成するため、本発明は、管路の内部の空間を、複数のケーブルを個々に収納可能な複数の収納部に分割する複数の仕切板を有する管路の内部スペーサーであって、仕切部を屈曲可能な１枚の板状部材によって構成することにより、管路の内部すべてに分割空間を形成させることが可能となり、既設のケーブルがあっても管路の内部スペーサーの挿入を容易に可能としたものである。具体的には、次に記載する構成を有するものである。
【００１３】
（１）  複数のケーブルを収納可能な管路の内部に挿入され、可撓性を有する棒状部材と、前記棒状部材の側面から前記管路の内面に向けて放射状に延在しかつ前記棒状部材の伸びる方向に伸びる複数の仕切部と、を備え、前記仕切部は前記管路の内部を複数の収納部に分割し、各収納部は前記ケーブルの少なくとも１つを収納することが可能である管路の内部スペーサーであって、前記棒状部材の半径方向における前記仕切部の高さは、前記棒状部材の伸びる方向において略一定であり、各仕切部は、前記棒状部材の先端部から後端部に渡って形成されかつ可撓性を有する板状部を有することを特徴とする管路の内部スペーサー。
【００１４】
これにより、管路の内部スペーサーを組み立てる作業が省略可能となる。また、仕切部が屈曲可能な１つの板状部材であるため分割空間が連続性を有するようになり、既設のケーブルが管路の内部にある場合でも、管路の内部への円滑な管路の内部スペーサーの挿入が可能となる。また、通線用ワイヤの挿入作業を円滑に行うことが可能となる。その結果、ケーブルの追加敷設作業を円滑に行うことが可能となる。
【００１５】
（２）  前記仕切部の表面は、前記収納部に収容された各ケーブルに接触しない非接触部を有することを特徴とする（１）の管路の内部スペーサー。
【００１６】
これにより、既設のケーブルがある管路の内部に管路の内部スペーサーを挿入する場合、又は収納部にケーブルを追加挿入する場合に、管路の内部スペーサーに非接触部が備えられているため、ケーブルと管路の内部スペーサーと摩擦抵抗が小さくなり、ケーブルの損傷を防止することができる。
【００１７】
（３）  前記棒状部材と前記仕切部とは同一部材であることを特徴とする（１）又は（２）記載の管路の内部スペーサー。
【００１８】
これにより、棒状部材及び仕切部に可撓性を持たせることが可能になり、棒状部材又は仕切部が折れ曲がって分割空間が不連続になるようなことが防止され、分割空間の連続性を保つことが可能になる。
【００１９】
（４）  前記仕切部の表面には、前記棒状部材の軸方向に対して直角方向に伸びる複数の凸部が前記軸方向に配列されてなる波面であり、前記非接触部は隣接する２つの凸部の間の凹部であることを特徴とする（１）から（３）のいずれかに記載の管路の内部スペーサー。
【００２０】
これにより、管路の内部に既設のケーブルがある場合には、既設のケーブルに沿って管路の内部スペーサーを移動させ、追加ケーブル挿入の際に、通線用ワイヤを管路の出口側にガイドする、といった仕切部によるガイド機能を維持するとともに、仕切部とケーブルとの接触面積を小さくすることが可能となり、ケーブルと管路の内部スペーサーとの摩擦抵抗に起因するケーブルの損傷を防止することができる。
【００２１】
（５）  前記凸部の端部には、各ケーブルに接触する曲面が形成されていることを特徴とする（４）記載の管路の内部スペーサー。
【００２２】
これにより、ケーブルが凸部の曲面にほぼ点接触するので、仕切部とケーブルとの接触面積を小さくすることが可能となり、ケーブルと管路の内部スペーサーとの摩擦抵抗に起因するケーブルの損傷を防止することができる。
【００２３】
（６）  前記仕切部の表面には、複数の凸部と前記凸部以外の領域によって前記非接触部とが形成されることを特徴とする（１）から（３）のいずれかに記載の管路の内部スペーサー。
【００２４】
これにより、管路の内部に既設のケーブルがある場合には、既設のケーブルに沿って管路の内部スペーサーを移動させ、追加ケーブル挿入の際に、通線用ワイヤを管路の出口側にガイドする、といった仕切部によるガイド機能を維持するとともに、仕切部とケーブルとの接触面積を小さくすることが可能となり、ケーブルと管路の内部スペーサーとの摩擦抵抗に起因するケーブルの損傷を防止することができる。
【００２５】
（７）  各仕切部は、各収納部を識別可能にする着色部を有することを特徴とする（１）から（６）のいずれかに記載の管路の内部スペーサー。
【００２６】
これにより、通信ケーブルの追加挿入あるいは取り外し作業を行う際の指標とすることが可能になり、通信ケーブルの追加挿入あるいは取り外し作業において誤った作業を行うことを未然に防止することができる。
【００２７】
（８）  （１）から（７）のいずれかに記載の管路の内部スペーサーの各仕切部の端部に取り付けられる仕切取付部と、それぞれが各仕切取付部から伸びる板状の複数の先端部と、各先端部が放射状に伸びるように接続され、前記棒状部材の伸びる方向に伸びる接続部と、を備え、前記接続部と各先端部の側面との間の距離は、前記接続部の伸びる方向に対して直角の方向において、各仕切取付部から離れるにつれて、短くなっている、管路の内部スペーサーの先導具。
【００２８】
（９）  （１）から（７）のいずれかに記載の管路の内部スペーサーの各仕切部の端部に取り付けられる仕切取付部であって前記凸部に係合する凹部を有する仕切取付部と、それぞれが各仕切取付部から伸びる板状の複数の先端部と、各先端部が放射状に伸びるように接続され、前記棒状部材の伸びる方向に伸びる接続部と、を備え、前記接続部と各先端部の側面との間の距離は、前記接続部の伸びる方向に直角の方向において、各仕切取付部から離れるにつれて、短い、管路の内部スペーサーの先導具。
【００２９】
これらにより、管路の内部に既設のケーブルがある場合に、既設のケーブルに沿って管路の内部スペーサーを移動させることが可能になり、管路の内部スペーサーによって形成される複数の収納部の１つに、既設のケーブルを収納させることが可能になる。
【発明の効果】
【００３０】
本発明によれば、管路の内部の空間を分割する仕切部が、仕切部が延在する棒状部材の先端部から後端部に渡って形成されかつ可撓性を有する１枚の板状部材から構成されているため、分割空間が連続性を有するようになる。このため、既設のケーブルが管路の内部にある場合でも、管路の内部への円滑な管路の内部スペーサーの挿入が可能となるとともに、通線用ワイヤの挿入作業を円滑に行うことが可能となる。その結果、ケーブルの追加敷設作業を円滑に行うことが可能となる。
【発明を実施するための最良の形態】
【００３１】
以下、本発明の好適な実施の形態について、図面を参照しながら詳細に説明する。
【００３２】
（第１の実施形態）
図１は本発明の第１の実施形態における内部構成を示す斜視図、図２は内部スペーサーの正面図、図３は内部スペーサーの側面図である。
【００３３】
図１に示すように、第１の実施形態は、管路２、管路２の内部に挿入される内部スペーサー３及び管路２の内部が内部スペーサー３によって仕切られた収納部２ａ、２ｂ、２ｃにそれぞれ挿通される通信ケーブル４ａ、４ｂ、４ｃを含む構成を有している。
【００３４】
内部スペーサー３は、可撓性を有する棒状の中心軸３ａと、この中心軸３ａの側面から延在した３つの仕切片３ｂ、３ｃ、３ｄとを含む。中心軸３ａは、棒状部材として作用する。図２に示すように、内部スペーサー３の正面から見た形状は、仮想正三角形の中心に中心軸３ａが位置し、この仮想正三角形の中心からこの仮想正三角形の３つの頂点の位置まで放射状に３つの仕切片３ｂ、３ｃ、３ｄが延在している。したがって、内部スペーサー３は、中心軸３ａの側面から管路２の内面に向けて放射状に延在しかつ中心軸３ａの伸びる方向に伸びる複数の仕切片３ｂ、３ｃ、３ｄを含む。仕切片３ｂ、３ｃ、３ｄは、いずれも、仕切部として作用する。３つの仕切片３ｂ、３ｃ、３ｄの先端Ｒは、これが管路２の内面に摺動する際に生じる摩擦力を低減させるために、半円柱形状（換言すると横断面形状が半円）に形成されている。しかし、先端Ｒを横断面形状が矩形や多角形に形成してもよい。
【００３５】
また、中心軸３ａ及び仕切片３ｂ、３ｃ、３ｄは、例えば、波付硬質ポリエチレン管（ＦＥＰ）又は通信ケーブル４ａ、４ｂ、４ｃの外皮４ｆと同じポリエチレンのような可撓性を有する部材によって構成されている。
【００３６】
仕切片３ｂ、３ｃ、３ｄは、それぞれ１枚の板状の部材であり、中心軸３ａの先端部から後端部に渡って形成されている。さらに、仕切片３ｂ、３ｃ、３ｄの両面は波状に形成されている。
【００３７】
図１及び図３に示すように、本実施形態においては、仕切片３ｂ、３ｃ、３ｄの板面には、中心軸３ａの軸方向に対して直角方向に延びるライン状の凹部３ｅ及び凸部３ｆが形成されている。凹部３ｅ及び凸部３ｆは、中心軸３ａの軸方向に交互に配列されている。
【００３８】
また、図３及び図１１に示すように、仕切片３ｂ、３ｃ、３ｄの先端部を側面から見ると、仕切片３ｂ、３ｃ、３ｄのそれぞれの表面に形成された凹部３ｅ及び凸部３ｆとそれの裏面に形成された凹部３ｅ及び凸部３ｆとは、表面の凹部３ｅ及び凸部３ｆと裏面の凹部３ｅ及び凸部３ｆとが互いに線対称となるように配列されている。ここで、表面の凹部３ｅの深さ寸法（すなわち、凸部３ｆの高さ寸法）が大きすぎると、通信ケーブル４ａ、４ｂ、４ｃが挿入される際に、凹部３ｅ及び凸部３ｆに接触するという障害になる。このため、表面の凹部３ｅの深さ寸法は、通信ケーブル４ａ、４ｂ、４ｃがこの凹部３ｅの両側の凸部３ｆ及び３ｆに当接しているときに、通信ケーブル４ａ、４ｂ、４ｃから若干離間する程度の寸法で良い。具体的には、１０ｍｍから１４ｍｍまでの範囲、特に、１２ｍｍから１３ｍｍの範囲が好ましい。
【００３９】
また、表面の凸部３ｆの最上点から裏面の凸部３ｆの最上点までの長さ寸法Ｗは、仕切片３ｂ、３ｃ、３ｄが中心軸３ａを中心として周方向の弾性を有する程度の寸法に設定することが望ましい。したがって、凹部３ｅの深さ寸法（すなわち凸部３ｆの高さ寸法）は、内部スペーサー３の軸方向に対して直角方向の断面形状が軸方向の任意の位置において略一定と見なせる程度の寸法に設定することが望ましい。
【００４０】
そして、図２に示すように、管路２の内部の空間は、管路２の内部に内部スペーサー３を挿入することにより、３つの仕切片３ｂ、３ｃ、３ｄによって３つの収納部２ａ、２ｂ、２ｃに分割され、形成される。これら３つの収納部２ａ、２ｂ、２ｃには、通信ケーブル４ａ、４ｂ、４ｃが配置される。
【００４１】
ここで、管路２の内部には、内部スペーサー３を挿入してから通信ケーブル４ａ、４ｂ、４ｃを挿入しても良いし、内部スペーサー３と通信ケーブル４ａ、４ｂ、４ｃとを束にして挿入しても良い。さらには、通信ケーブル４ａ、４ｂ、４ｃを挿入してから内部スペーサー３を挿入しても良い。また、３つの収納部２ａ、２ｂ、２ｃにおける１つ又は２つの収納部を、通信ケーブルの増設スペースとして空けておいても良い。
【００４２】
次に、管路２の内部に内部スペーサー３を挿入する作業について説明する。
【００４３】
図４はスペーサーの先端部に取り付ける通線先導具の構成を示す説明図であり、図４（ａ）は通線先導具の斜視図、図４（ｂ）は通線先導具の側面図、図４（ｃ）は通線先導具の背面図、図４（ｄ）は図４（ｂ）の通線先導具の分解斜視図、図４（ｅ）は内部スペーサー３への接続状態を示す説明図、図４（ｆ）は、図４（ｃ）の点線ｆで示した領域の拡大断面図である。
【００４４】
図４（ａ）に示すように、通線先導具１０は、３つの挟持片１０ａ、１０ｂ、１０ｃを組み合わせたものであり、底面が正三角形でありかつ先端部を削除した仮想三角錐において、この仮想三角錐の中心線から３本の斜辺に向かって放射状に、３枚の板状の延在部が形成された形状である。そして、通線先導具１０は、先細りの先端部から管路２（図１参照）内に挿入され、後端部には内部スペーサー３の先端部が接続される。
【００４５】
挟持片１０ａ、１０ｂ、１０ｃはそれぞれ同型であり、図４（ｂ）に示すように、等脚台形の板状部材にくの字状の曲げを施したものであり、曲げ線は等脚台形の二等分線に一致している。また、内部スペーサー３の３つの仕切片３ｂ、３ｃ、３ｄにおける、隣り合う２つの仕切片の角度は、本実施形態においては３カ所全て１２０°であるため、挟持片１０ａ、１０ｂ、１０ｃにおける曲げ角も全て１２０°に設定されている。そして、図４（ｃ）に示すように、挟持片１０ａ、１０ｂ、１０ｃにおけるくの字の外面を互いに合わせて、ねじ等によって締結することによって通線先導具１０が組み立てられる。これにより、挟持片１０ａ、１０ｂ、１０ｃは、３つの空間１０ｄを形成する。
【００４６】
図４（ｆ）に示すように、挟持片１０ａ、１０ｂ、１０ｃには、円柱状の凹部ａとこの凹部ａの底面の中心に形成された貫通穴ｂとが形成されている。また、凹部ａと貫通穴ｂとは、これらの軸線がこれらの相手側のねじ穴ｃの軸線と一致するように、挟持片１０ａ、１０ｂ、１０ｃに形成されている。凹部ａは、ねじ穴ｃに螺合する六角穴付きボルトｄの頭部が挟持片１０ａ、１０ｂ、１０ｃの表面から突出しないような深さを有している。ボルトｄの全体の長さは、ボルトｄのねじ部がねじ穴ｃに螺合して挟持した２つの挟持片の両外側の寸法より短く設定されている。これにより、六角穴付きボルトｄは２つの挟持片の表面から突出しない状態で２つの挟持片を挟持することができる。このため、通線先導具１０を既設ケーブルがある管路２の内部に挿通させても、六角穴付きボルトｄが既設ケーブルを傷つけるおそれがほとんどない。
【００４７】
挟持片１０ａ、１０ｂ、１０ｃの後端部には、図４（ｃ）に示すように、前記した仮想三角錐の中心線に対して直角方向に延びるライン状の凹部１０ｅが形成されている。凹部１０ｅの形成位置は、挟持片１０ａ、１０ｂ、１０ｃを組み合わせた時に、各挟持片における凹部１０ｅ同士が互いに対向するように設定されている。
【００４８】
そして、挟持片１０ａ、１０ｂ、１０ｃを組み合わせる際に、各挟持片が有する凹部１０ｅに、内部スペーサー３の先端部における最初の凸部３ｆを嵌合させてから、各挟持片をねじ等によって締結することによって、通線先導具１０に内部スペーサー３が挟持される。
【００４９】
したがって、隣接する２つの挟持片１０ａ、１０ｂ又は１０ｂ、１０ｃ又は１０ｃ、１０ａは、凸部３ｆに係合する凹部を有する仕切取付部１１ａと、仕切取付部１１ａから伸びる板状の先端部１１ｂとを形成する。また、接続部１１ｃは、これら先端部１１ｂが放射状に伸びるように接続され、中心軸３ａの伸びる方向に伸びている。したがって、２つの挟持片１０ａ、１０ｂ、１０ｃは、共同して仕切取付部を形成している。また、挟持片１０ａ、１０ｂ、１０ｃによって形成された３つの空間１０ｄは、それぞれ、３つの仕切片３ｂ、３ｃ、３ｄによって形成された３つの収納部２ａ、２ｂ、２ｃに連通される。よって、通信ケーブル４ａ、４ｂ、４ｃを３つの収納部２ａ、２ｂ、２ｃ及び３つの空間１０ｄに、配置することができる。
【００５０】
図５は管路の内部にスペーサー及び通信ケーブルを挿入する作業の一例を示す説明図である。図５に示す例は、所定の間隔で地表に立設させた２本の電柱間に通信ケーブルを敷設するものである。ここで、既に、２本の電柱間に管路２が敷設されており、電柱間の管路は地中に埋設されているものとする。さらに、この管路２の内部には１本の通信ケーブルが挿入されているものとする。
【００５１】
まず、内部スペーサー３に通線先導具１０を予め取り付けておく。
【００５２】
次に、作業者は、一方の電柱上において、管路２の一端の開口を開放して通線先導具１０を挿入する。これにより、通線先導具１０によって既設のケーブルを取り除くことなく内部スペーサー３を管路２の内部に押し込むことによって内部スペーサー３を管路２の内部に挿入する。
【００５３】
この時、管路２の内部は、通線先導具１０における２つの挟持片１０ａ、１０ｂ又は１０ｂ、１０ｃ又は１０ｃ、１０ａが既存の通信ケーブルの側面に当接することにより、通線先導具１０の回転方向の移動が規制され、既存の通信ケーブルに沿って通線先導具１０が移動する。
【００５４】
そして、通線先導具１０が他方の電柱に位置する管路２の他端から押し出されると、一方の電柱上において内部スペーサー３を切断する。これにより、管路２の内部に内部スペーサー３が敷設される。
【００５５】
管路２の内部に内部スペーサー３が敷設されると、管路２の内部空間は、内部スペーサー３が有する３つの仕切片３ｂ、３ｃ、３ｄによって、図２に示すように、３つの収納部２ａ、２ｂ、２ｃに分割され、その中の１つの収納部に既存の通信ケーブルが位置するようになる。
【００５６】
次に、内部スペーサー３によって分割された３つの収納部において、通信ケーブルが挿入されてない２つの収納部のいずれかに、通線用ワイヤを挿入する。この時、通線用ワイヤは、内部スペーサー３の２つの仕切片によって管路２の半径方向への移動が規制されるので、２つの仕切片に沿って移動する。
【００５７】
そして、通線用ワイヤは、管路２の内部を通って管路２の開口から押し出される。そして通線用ワイヤに追加の通信ケーブルの先端を接続し、通線用ワイヤを抜き出すことによって、通信ケーブルが管路２の内部に挿入される。その後、通信ケーブルの両端を処理することにより、通信ケーブルの追加敷設が完了する。
【００５８】
第１の実施形態によれば、管路２の内部の空間を分割する内部スペーサー３に設けた仕切片３ｂ、３ｃ、３ｄがそれぞれ連続性のある１枚板であるため、収納部２ａ、２ｂ、２ｃの空間に連続性を持たせることが可能になり、例えば、通線用ワイヤの挿入作業を円滑に行うことが可能になる。
【００５９】
また、内部スペーサー３の挿入作業において、仕切片３ｂ、３ｃ、３ｄが管路２の開口縁部に接触したとしても、挿入作業が途中で中断する程の摩擦力は殆ど発生しないので、内部スペーサー３の管路２の内部への挿入作業を円滑に行うことが可能である。
【００６０】
また、内部スペーサー３が管路２の内部に既に挿入されている状態で、新たな通信ケーブルを管路２の内部に挿入する場合においても、内部スペーサー３による分割空間が連続しているので、通信ケーブルは仕切片３ｂ、３ｃ、３ｄによって管路２の内部を安定してガイドされる。
【００６１】
さらに、ライン状の凹部３ｅ及び凸部３ｆが内部スペーサー３の軸方向に対して直角方向に伸びるように、仕切片３ｂ、３ｃ、３ｄの板面に、形成されている。そして、これら凹部３ｅ及び凸部３ｆは、内部スペーサー３の軸方向に交互に配列されているため、仕切片３ｂ、３ｃ、３ｄと通信ケーブルとの接触面積が小さくなり、仕切片３ｂ、３ｃ、３ｄと通信ケーブルとにおいて発生する摩擦力は低減される。その結果、内部スペーサー３又は通信ケーブルを管路２の内部に円滑に挿入することが可能になるとともに、内部スペーサー３又は通信ケーブルの挿入時に、既存の通信ケーブルあるいは追加挿入の通信ケーブルに損傷を与えることが防止できる。
【００６２】
（第２の実施形態）
図６は本発明の第２の実施形態における内部構成を示す斜視図、図７はスペーサーの正面図、図８はスペーサーの側面図である。なお、図１〜図３に示す第１の実施形態における部材と同一の部材には同一の符号を付して、詳細な説明は省略する。図６に示すように、第２の実施形態は、管路２、スペーサー１５及び通信ケーブル４ａ、４ｂ、４ｃ、４ｄによって構成されている。
【００６３】
スペーサー１５は、中心軸１５ａと、この中心軸１５ａの側面から延在した４つの仕切片１５ｂ、１５ｃ、１５ｄ、１５ｅによって構成されている。スペーサー１５を正面視した場合、図７に示すように、中心軸１５ａが仮想正方形の中心に位置している。この仮想正方形の中心から４つの頂点の位置まで放射状に４つの仕切片１５ｂ、１５ｃ、１５ｄ、１５ｅが延在している。また、中心軸１５ａ及び仕切片１５ｂ、１５ｃ、１５ｄ、１５ｅは、例えば、波付硬質ポリエチレン管（ＦＥＰ）あるいは通信ケーブル４ａ、４ｂ、４ｃ、４ｄの外皮と同じポリエチレンなど、可撓性、屈曲性を有する部材によって構成されている。仕切片１５ｂ、１５ｃ、１５ｄ、１５ｅの先端Ｒは、これらの先端Ｒと管路２の内面との間に生じる摩擦力を低減させるために、横断面形状が半円となるように形成されている。しかし、先端Ｒの横断面形状を矩形や多角形に形成してもよい。
【００６４】
したがって、スペーサー１５は、中心軸１５ａの側面から管路２の内面に向けて放射状に延在しかつ中心軸１５ａの伸びる方向に伸びる仕切片１５ｂ、１５ｃ、１５ｄ、１５ｅを有している。
【００６５】
仕切片１５ｂ、１５ｃ、１５ｄ、１５ｅは、それぞれ連続性を有する１枚の板状の部材であり、中心軸１５ａの先端部から後端部に渡って形成されている。さらに、仕切片１５ｂ、１５ｃ、１５ｄ、１５ｅの板面には、複数の凸部１５ｆがマトリクス状に配列されている。
【００６６】
また、図８に示すように、表面の凸部１５ｆと裏面の凸部１５ｆは、例えば、仕切片１５ｂ、１５ｃ、１５ｄ、１５ｅの端部を側面視した場合に、表面の凸部１５ｆと凸部１５ｆとは互いに線対称となるように配列されている。ここで、凸部１５ｆの高さ寸法は、大きすぎると通信ケーブルを挿入する際に障害になるため、隣り合う凸部１５ｆ及び１５ｆに通信ケーブルが当接しているとき、凸部１５ｆの形成領域以外の領域（すなわち隣り合う凸部１５ｆ及び１５ｆの間の領域）が通信ケーブルから若干離間する程度の高さ寸法が良い。具体的には、１０ｍｍから１４ｍｍまでの範囲、特に、１２ｍｍから１３ｍｍの範囲が好ましい。
【００６７】
また、仕切片１５ｂ、１５ｃ、１５ｄ、１５ｅにおいて、表面の凸部１５ｆの最上点から裏面の凸部１５ｆの最上点までの長さ寸法Ｗは、仕切片１５ｂ、１５ｃ、１５ｄ、１５ｅそれぞれが、中心軸１５ａを中心として周方向の弾性を有する程度の寸法に設定することが望ましい。したがって、凸部１５ｆの高さ寸法は、スペーサー１５の軸方向に対して直角方向の断面形状が軸方向の任意の位置において略一定と見なせる程度の寸法に設定することが望ましい。
【００６８】
ここで、管路２の内部に、スペーサー１５を挿入してから通信ケーブル４ａ、４ｂ、４ｃ、４ｄを挿入しても、スペーサー１５と通信ケーブル４ａ、４ｂ、４ｃ、４ｄとを束にして挿入しても良い。さらには、通信ケーブル４ａ、４ｂ、４ｃ、４ｄを挿入してからスペーサー１５を挿入しても良い。また、４つの収納部２ａ、２ｂ、２ｃ、２ｄの中のいくつかの収納部を、通信ケーブルの増設スペースとして空けておいても良い。
【００６９】
図９はスペーサーの先端部に取り付ける通線先導具の構成を示す説明図であり、図９（ａ）は通線先導具の斜視図、図９（ｂ）は通線先導具の側面図、図９（ｃ）は通線先導具の背面図、図９（ｄ）は図９（ｃ）におけるＸ部分の分解斜視図、図９（ｅ）はスペーサー１５への接続状態を示す説明図である。
【００７０】
図９（ａ）に示すように、通線先導具２０は、４つの挟持片２０ａ、２０ｂ、２０ｃ、２０ｄを組み合わせたものであり、底面が正方形でありかつ先端部を削除した仮想四角錐において、この仮想三角錐の中心線から４本の斜辺に向かって放射状に４枚の板状の延在部が形成された形状である。したがって、４つの挟持片２０ａ、２０ｂ、２０ｃ、２０ｄは、４つの空間２０ｅを形成する。そして、通線先導具２０は、先細りの先端部から管路２（図６参照）内に挿入され、後端部にはスペーサー１５の先端部が接続される。
【００７１】
したがって、通線先導具２０は、凸部１５ｆに係合する凹部を有する複数の仕切取付部２１ａと、それぞれが各仕切取付部２１ａから伸びる板状の複数の先端部２１ｂと、各先端部２１ｂが放射状に伸びるように接続され、中心軸１５ａの伸びる方向に伸びる接続部２１ｃとを含む。接続部２１ｃと各先端部２１ｂの側面との間の距離は、接続部２１ｃの伸びる方向に直角の方向において、各仕切取付部２１ａから離れるにつれて、短くなっている。
【００７２】
図９（ａ）に示すように、挟持片２０ａ、２０ｂ、２０ｃ、２０ｄは、それぞれ互いに同じ形状を有しており、等脚台形の板状部材にＬ字状の曲げを施したものである。曲げ線は等脚台形の二等分線に一致している。また、スペーサー１５の４つの仕切片１５ｂ、１５ｃ、１５ｄ、１５ｅにおける、隣り合う２つの仕切片の角度は、本実施形態においては４カ所全て９０°であるため、挟持片２０ａ、２０ｂ、２０ｃ、２０ｄの曲げ角も全て９０°に設定されている。そして、図９（ｃ）に示すように、挟持片２０ａ、２０ｂ、２０ｃ、２０ｄにおけるＬ字の外面を互いに合わせて、ねじ等によって締結することによって通線先導具２０が組み立てられる。
【００７３】
図９（ｃ）に示すように、挟持片２０ａ、２０ｂ、２０ｃ、２０ｄの後端部には、前記した仮想四角錐の中心線に対して直角方向に延びるライン状の凹部が形成されている。凹部の形成位置は、挟持片２０ａ、２０ｂ、２０ｃ、２０ｄを組み合わせた時に、各挟持片における凹部同士が互いに対向するように設定されている。
【００７４】
そして、挟持片２０ａ、２０ｂ、２０ｃ、２０ｄを組み合わせる際に、各挟持片が有する凹部に、スペーサー１５の先端部における最初の凸部１５ｆを嵌合させてから、各挟持片をねじ等によって締結することによって、通線先導具２０にスペーサー１５が挟持される。これにより、４つの収納部２ａ、２ｂ、２ｃ、２ｄは、それぞれ、４つの空間２０ｅに連通する。
【００７５】
なお、通線先導具２０の管路２の内部への挿入作業については、図５を参照しながら説明した第１の実施形態における内部スペーサー３の管路２の内部への挿入作業と同じであるため、説明は省略する。
【００７６】
このように構成した第２の実施形態によれば、管路２の内部の空間を分割するスペーサー１５に設けた仕切片１５ｂ、１５ｃ、１５ｄ、１５ｅがそれぞれ連続性を有する１枚板であるため、仕切片１５ｂ、１５ｃ、１５ｄ、１５ｅが管路２の開口縁部に接触したとしても連続的に摺動するため、挿入作業が途中で中断することが低減されるようになり、スペーサー１５の管路２の内部への挿入作業を円滑に行うことが可能になる。また、スペーサー１５が既に挿入されている状態で新たな通信ケーブルを追加挿入する場合においても、スペーサー１５による分割空間が連続しているため、通信ケーブルは仕切片１５ｂ、１５ｃ、１５ｄ、１５ｅによって管路２の内部を安定してガイドされるようになる。
【００７７】
第２の実施形態によれば、管路２の内部の空間を分割するスペーサー１５に設けた仕切片１５ｂ、１５ｃ、１５ｄ、１５ｅがそれぞれ１枚板であるため、収納部２ａ、２ｂ、２ｃ、２ｄの空間に連続性を持たせることが可能になり、例えば、通線用ワイヤの挿入作業を円滑に行うことが可能になる。
【００７８】
また、スペーサー１５の挿入作業において、仕切片１５ｂ、１５ｃ、１５ｄ、１５ｅが管路２の開口縁部に接触したとしても、挿入作業が途中で中断する程の摩擦力が発生しないようになり、スペーサー１５の管路２の内部への挿入作業を円滑に行うことが可能になる。
【００７９】
また、スペーサー１５が既に挿入されている状態で新たな通信ケーブルを追加挿入する場合においても、スペーサー１５による分割空間が連続しているため、通信ケーブルは仕切片１５ｂ、１５ｃ、１５ｄ、１５ｅによって管路２の内部を安定してガイドされるようになる。
【００８０】
さらに、仕切片１５ｂ、１５ｃ、１５ｄ、１５ｅの板面には、マトリクス状に凸部１５ｆが配列されているため、仕切片１５ｂ、１５ｃ、１５ｄ、１５ｅと通信ケーブルとの接触面積が小さくなり、仕切片１５ｂ、１５ｃ、１５ｄ、１５ｅと通信ケーブルとにおいて発生する摩擦力を低減することが可能になる。その結果、スペーサー１５又は通信ケーブルを管路２の内部に円滑に挿入することが可能になるとともに、スペーサー１５又は通信ケーブルの挿入時に、既存の通信ケーブルあるいは追加挿入の通信ケーブルに損傷を与えることが防止できる。
【００８１】
以上、本発明の実施形態について説明したが、本発明は、上述した構成に限るものではない。例えば、図１０に示すように、仕切片３ｂ、３ｃ、３ｄにそれぞれ異なる色を着色しても良い。図１０（ａ）は仕切片３ｂ、３ｃ、３ｄに異なる色Ｃ１、Ｃ２、Ｃ３を着色した例であり、図１０（ｂ）は仕切片３ｂ、３ｃ、３ｄによって形成される収納部単位で異なる色Ｃ１、Ｃ２、Ｃ３を着色した例である。このように仕切片３ｂ、３ｃ、３ｄに着色することより、通信ケーブルの追加挿入あるいは取り外し作業を行う際の指標とすることが可能になり、間違いのない通信ケーブルの追加挿入あるいは取り外し作業を行うことが可能になる。
【００８２】
また、第１の実施形態によれば、仕切片の表面がライン状の凹部３ｅ及び凸部３ｆからなるいわゆるパルス波面となっているが、それに限らず、図１１（ａ）に示すように滑らかな波面としても良い。また、さらには図１１（ｂ）に示すように、凸部３ｆの表面に緩やかな曲面とした、いわゆるかまぼこ形状としても良い。このように構成することにより、摩擦抵抗を低減し、スペーサーの挿入又は通信ケーブルの追加挿入作業を円滑に行うことが可能になる。
【００８３】
また、第１の実施形態によれば、仕切片の両面において、凸部同士及び凹部同士を対向させていたが、図１１（ｃ）に示すように、凸部３ｆと凹部３ｅを対向させても良い。このように構成することにより、仕切片に内部スペーサー３の軸方向の伸縮性を付与することが可能になり、管路２の屈曲部分における仕切片の変形具合を小さく抑えることが可能になる。
【００８４】
また、第２の実施形態によれば、凸部１５ｆがマトリクス状に配置されているが、それに限らずランダム配置としても良い。また、凸部１５ｆの形状も円柱状に限らず、例えば半球状に形成しても良い。
【００８５】
また、本実施形態においては、スペーサーによる管路の内部空間の分割数が３又は４であったが、それより多くても良く、管路２の口径に応じて適宜設定可能である。また、本実施形態においては、スペーサーの仕切片における放射方向の長さが全て同じであるため、中心軸が管路２の中心に位置するようになるが、それに限らず、図１１（ｄ）に示すように、複数の仕切片の長さを個々に変えて中心軸の位置を偏倚させても良い。このように構成することにより、例えば、管路の内部に既存の通信ケーブルとは口径の異なる通信ケーブルを追加挿入する場合においても、円滑に挿入作業を行うことが可能になる。
【００８６】
また、通線先導具についても、本実施形態のスペーサーと同様に、延在部の表面を波面としたり、延在部の表面に凸部を設けたりしても良い。
【図面の簡単な説明】
【００８７】
【図１】本発明の第１の実施形態における内部構成を示す斜視図である。
【図２】図１のスペーサーの正面図である。
【図３】図１のスペーサーの側面図である。
【図４】図１のスペーサーの先端部に取り付ける通線先導具の構成を示す説明図である。
【図５】管路の内部にスペーサー及び通信ケーブルを挿入する作業の一例を示す説明図である。
【図６】本発明の第２の実施形態における内部構成を示す斜視図である。
【図７】図６のスペーサーの正面図である。
【図８】図６のスペーサーの側面図である。
【図９】図６のスペーサーの先端部に取り付ける通線先導具の構成を示す説明図である。
【図１０】本発明の他の実施形態を示す説明図である。
【図１１】本発明の他の実施形態を示す説明図である。
【符号の説明】
【００８８】
２  管路
２ａ、２ｂ、２ｃ、２ｄ  収納部
３、１５  スペーサー
３ａ、１５ａ  中心軸
３ｂ、３ｃ、３ｄ、１５ｂ、１５ｃ、１５ｄ、１５ｅ  仕切片
３ｅ、１０ｄ  凹部
３ｆ、１５ｆ  凸部
４ａ、４ｂ、４ｃ、４ｄ  通信ケーブル
１０  通線先導具
１０ａ、１０ｂ、１０ｃ、２０ａ、２０ｂ、２０ｃ、２０ｄ  挟持片
【図１】
2007049813.tif 000003
【図２】
2007049813.tif 000004
【図３】
2007049813.tif 000005
【図４】
2007049813.tif 000006
【図５】
2007049813.tif 000007
【図６】
2007049813.tif 000008
【図７】
2007049813.tif 000009
【図８】
2007049813.tif 000010
【図９】
2007049813.tif 000011
【図１０】
2007049813.tif 000012
【図１１】
2007049813.tif 000013